(57)【特許請求の範囲】
【請求項１】
直流電流を出力する直流電源部と、
前記直流電源部から出力された前記直流電流から、電流の方向が交互に変化する電流パルスを順次生成して放電灯に供給するインバーターと、
前記直流電源部及び前記インバーターの動作を制御して、前記放電灯に供給される前記電流パルスの波形を調整する制御部と、
を備え、
前記制御部は、前記電流パルスのパルス幅を所定の変動範囲の中からランダムに決定し、前記電流パルスのパルス幅および電流値を１パルス毎に変化させることを特徴とする放電灯点灯装置。
【請求項２】
請求項１に記載の放電灯点灯装置であって、
前記制御部は、台形波の電流パルスを生成させるとともに、前記台形波の傾きを１パルス毎に変化させることを特徴とする放電灯点灯装置。
【請求項３】
請求項１または請求項２に記載の放電灯点灯装置と、
前記放電灯点灯装置から電流パルスの供給を受けて点灯する放電灯と、
前記放電灯から射出された光を変調して画像光を形成する画像形成部と、
前記画像形成部で形成された前記画像光を投写する投写光学系と、
を備えたことを特徴とするプロジェクター。
【請求項４】
電流パルスのパルス幅を所定の変動範囲の中からランダムに決定するパルス幅決定ステップと、
１パルス毎にパルス幅および電流値が異なる前記電流パルスを順次生成するパルス生成ステップと、
前記電流パルスを放電灯に供給して、前記放電灯を点灯させる点灯ステップと、
を備えたことを特徴とする放電灯の駆動方法。
【発明の詳細な説明】
【技術分野】
【０００１】
本発明は、放電灯を駆動して点灯させる放電灯点灯装置、プロジェクター、及び放電灯の駆動方法に関する。
【背景技術】
【０００２】
プロジェクター等の光源として用いられる放電灯の点灯装置において、駆動波形に変化を与えることによってアーク位置を安定化させる技術が種々提案されている。例えば、特許文献１に記載の点灯装置では、放電灯に供給する交流矩形波電流に対して、短い電流パルスを同期させて重畳させている。このような技術を用いれば、アーク位置が不安定な場合に生じるちらつき（フリッカー）を抑制することが可能となる。
【先行技術文献】
【特許文献】
【０００３】
【特許文献１】特許第３７４１７２７号公報
【発明の概要】
【発明が解決しようとする課題】
【０００４】
しかしながら、上記のように電流パルスを重畳させることは、放電灯に供給される電力、即ち放電灯の明るさを周期的に変化させることになる。このため、特許文献１に記載の点灯装置でプロジェクターの光源を点灯させた場合には、放電灯の明るさが変化する周期と、画面を生成する周期（フレーム周期）とのずれに起因して、縞状のノイズ（スクロールノイズ）が生じてしまうという問題を有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係る放電灯点灯装置は、直流電流を出力する直流電源部と、前記直流電源部から出力された前記直流電流から、電流の方向が交互に変化する電流パルスを順次生成して放電灯に供給するインバーターと、前記直流電源部及び前記インバーターの動作を制御して、前記放電灯に供給される前記電流パルスの波形を調整する制御部と、を備え、前記制御部は、前記電流パルスのパルス幅を１パルス毎に変化させることを特徴とする。
【０００７】
この放電灯点灯装置によれば、放電灯に供給される電流パルスのパルス幅を１パルス毎に変化させている。このため、駆動波形が常に変化することによってフリッカーの発生が抑制されるとともに、駆動の周期が一定でなくなることから、スクロールノイズの発生も抑制される。
【０００８】
［適用例２］上記適用例に係る放電灯点灯装置において、前記制御部は、前記電流パルスのパルス幅を、所定の変動範囲の中からランダムに決定することが望ましい。
【０００９】
［適用例３］上記適用例に係る放電灯点灯装置において、前記制御部は、前記電流パルスの電流値を１パルス毎に変化させることが望ましい。
【００１０】
［適用例４］上記適用例に係る放電灯点灯装置において、前記制御部は、台形波の電流パルスを生成させるとともに、前記台形波の傾きを１パルス毎に変化させることが望ましい。
【００１１】
［適用例５］本適用例に係るプロジェクターは、上記に記載の放電灯点灯装置と、前記放電灯点灯装置から電流パルスの供給を受けて点灯する放電灯と、前記放電灯から射出された光を変調して画像光を形成する画像形成部と、前記画像形成部で形成された前記画像光を投写する投写光学系と、を備えたことを特徴とする。
【００１２】
このプロジェクターによれば、上記放電灯点灯装置と同様の効果を得ることが可能となる。
【００１３】
［適用例６］本適用例に係る放電灯の駆動方法は、１パルス毎にパルス幅が異なる電流パルスを順次生成するパルス生成ステップと、前記電流パルスを放電灯に供給して、前記放電灯を点灯させる点灯ステップと、を備えたことを特徴とする。
【００１４】
この放電灯の駆動方法によれば、放電灯に供給される電流パルスのパルス幅を１パルス毎に変化させている。このため、駆動波形が常に変化することによってフリッカーの発生が抑制されるとともに、駆動の周期が一定でなくなることから、スクロールノイズの発生も抑制される。
【００１５】
また、上述した放電灯点灯装置、プロジェクター及び放電灯の駆動方法が放電灯点灯装置に備えられたコンピューターを用いて構築されている場合には、上記形態及び上記適用例は、その機能を実現するためのプログラム、或いは当該プログラムを前記コンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、放電灯点灯装置の内部記憶装置（ＲＡＭやＲＯＭ等の半導体メモリー）等、前記コンピューターが読み取り可能な種々の媒体を利用することができる。
【図面の簡単な説明】
【００１６】
【図１】第１実施形態に係る放電灯点灯装置の概略構成を示すブロック図。
【図２】第１実施形態における電流パルスの波形の変化を説明するための説明図。
【図３】第２実施形態における電流パルスの波形の変化を説明するための説明図。
【図４】第３実施形態における電流パルスの波形の変化を説明するための説明図。
【図５】放電灯点灯装置を備えたプロジェクターの概略構成を示すブロック図。
【発明を実施するための形態】
【００１７】
（第１実施形態）
以下、第１実施形態の放電灯点灯装置について、図面を参照して説明する。
図１は、第１実施形態に係る放電灯点灯装置の概略構成を示すブロック図である。
図１に示すように、放電灯点灯装置１０は、ダウンチョッパー１１、インバーター１２、イグナイター１３、及び制御部としての制御回路１４を備えて構成されており、イグナイター１３には、放電灯点灯装置１０の点灯対象である光源装置２０が接続されている。
【００１８】
ダウンチョッパー１１は、直流電源部に相当するものであり、図示しない外部の電源ユニットから供給される直流の電力を、チョッパー処理によって電圧を降下させてインバーター１２に出力する。ダウンチョッパー１１は、例えば、環流ダイオードや平滑用のコイル、トランジスター等のスイッチング素子（いずれも図示せず）を備えて構成することが可能であり、スイッチング素子のオンとオフとを繰り返すことによって電圧を降下させる。なお、ダウンチョッパー１１の出力端には、直列に接続された２つの抵抗Ｒ１，Ｒ２がダウンチョッパー１１に対して並列に接続されており、抵抗Ｒ１と抵抗Ｒ２との接続点の電位がダウンチョッパー１１の出力電圧（ランプ電圧）に対応する電圧値として検出されて制御回路１４に出力される。また、ダウンチョッパー１１の負極側の出力端には、抵抗Ｒ３が直列に接続されており、抵抗Ｒ３の出力側の電圧値がダウンチョッパー１１の出力電流（ランプ電流）に対応する電圧値として検出されて制御回路１４に出力される。
【００１９】
インバーター１２は、例えば、フルブリッジ接続された４個のスイッチング素子等によって構成され、ダウンチョッパー１１から供給される直流電流から、矩形波の電流パルスを順次生成し、イグナイター１３を経由して光源装置２０に出力する。なお、本実施形態のインバーター１２は、交流電流のように電流の方向が交互に変化する電流パルスを生成するものであるが、後述するように、本実施形態では、１パルス毎にパルス幅を変化させているため、電流の方向が変化する周期は一定ではなく、厳密には交流電流とは異なっている。
【００２０】
イグナイター１３は、例えば、イグナイタートランス及びその駆動回路から構成されており、点灯開始時に高電圧を発生させて光源装置２０に印加する。これにより、光源装置２０の電極間の絶縁が破壊されて放電経路が作られ、光源装置２０の点灯が開始する。そして、点灯が開始した後には、インバーター１２から出力される電流パルスが、イグナイター１３を経由して光源装置２０に供給され、光源装置２０の点灯が維持される。
【００２１】
制御回路１４は、例えば、マイクロプロセッサーやメモリー等によって構成されるコンピューターを含んでおり、メモリーに記憶されている制御プログラムに従って、ダウンチョッパー１１及びインバーター１２の動作を制御する。具体的には、制御回路１４は、ダウンチョッパー１１の出力電圧及び出力電流の検出値に基づいて、ダウンチョッパー１１の出力電力が略一定になるように、ダウンチョッパー１１の出力電流を制御する。また、制御回路１４は、インバーター１２が出力する電流パルスのパルス幅を制御する。
【００２２】
光源装置２０は、放電灯２１と、反射鏡２２とを備えている。放電灯２１は、超高圧水銀ランプやメタルハライドランプ等からなる高圧放電灯であり、石英ガラス等の透光性材料で覆われた空間内に、水銀、希ガス等を含むガスが封入されるとともに、一対の電極の先端部が対向配置されている。そして、この電極にランプ電流が供給されると、電極間にアーク放電が生じて放電灯２１が発光する。放電灯２１から発せられた光は、楕円面鏡や放物面鏡等からなる反射鏡２２で反射され、所定の方向に射出される。
【００２３】
ここで、本実施形態の制御回路１４は、インバーター１２から光源装置２０に供給される電流パルスの波形を１パルス毎に変化させるようになっている。具体的には、制御回路１４は、電流パルスのパルス幅を１パルス毎にランダムに決定するとともに、インバーター１２を制御して、決定したパルス幅の電流パルスを生成させ、光源装置２０に供給させる。
【００２４】
図２は、電流パルスの波形の変化（パルス幅の変化）を説明するための説明図である。本図において、（ａ）及び（ｂ）は、制御回路１４で順次決定された複数の電流パルスで構成されるパルス列であり、（ｃ）は、（ｂ）のパルス列において、各電流パルスの極性を反転させたものである。また、（ｄ）は、（ａ）のパルス列と（ｃ）のパルス列とが合成された様子を示している。なお、各図において、横軸は時間ｔを表し、縦軸（図示せず）は電流値を表している。
【００２５】
図２（ａ）、（ｂ）に示すように、制御回路１４は、光源装置２０の一方の電極（正極側の電極）に供給される第１のパルス列（図２（ａ）参照）と、他方の電極（負極側の電極）へ供給される第２のパルス列（図２（ｂ）参照）の２つのパルス列をインバーター１２に生成させる。そして、制御回路１４は、双方のパルス列において、電流パルスのパルス幅を１パルス毎にランダムに変化させている。ここで、パルス幅を決定する際には、例えば、所定のパルス幅を基準にして、このパルス幅に対して所定の変動範囲（例えば、±１０％）を設定するとともに、この変動範囲内から、図示しない乱数生成部で生成された乱数に基づいてパルス幅を定めるようにすればよい。そして、図２（ｃ）に示すように、制御回路１４は、生成される２つのパルス列のうち、第２のパルス列について電流パルスの極性を反転させる。
【００２６】
制御回路１４は、第１のパルス列の最初の電流パルスを光源装置２０の一方の電極へ供給させた後、極性反転後の第２のパルス列の最初の電流パルスを他方の電極へ供給させる。そして、後続する電流パルスについても同様に、第１のパルス列の電流パルスと、極性反転後の第２のパルス列の電流パルスとを交互に供給させる。この結果、第１のパルス列と、極性反転後の第２のパルス列とは合成され、図２（ｄ）に示すように、光源装置２０は、電流の方向が交互に変化し、且つパルス幅が１パルス毎に変化するパルス列によって駆動される。
【００２７】
以上説明したように、本実施形態の放電灯点灯装置１０によれば、光源装置２０に供給される電流パルスのパルス幅を１パルス毎に変化させている。このため、駆動波形が常に変化することによってフリッカーの発生が抑制されるとともに、駆動の周期が一定でなくなることから、スクロールノイズの発生も抑制される。
【００２８】
（第２実施形態）
以下、第２実施形態の放電灯点灯装置について、図面を参照して説明する。
本実施形態の放電灯点灯装置１０は、光源装置２０に供給する電流パルスを生成する際に、パルス幅に加えて、電流値も１パルス毎に変化させている。これ以外の構成については第１実施形態と同一である。
【００２９】
図３は、本実施形態における電流パルスの波形の変化（パルス幅及び電流値の変化）を説明するための説明図である。本図において、（ａ）及び（ｂ）は、制御回路１４で順次決定された複数の電流パルスで構成されるパルス列であり、（ｃ）は、（ｂ）のパルス列において、各電流パルスの極性を反転させたものである。また、（ｄ）は、（ａ）のパルス列と（ｃ）のパルス列とが合成された様子を示している。なお、各図において、横軸は時間ｔを表し、縦軸（図示せず）は電流値を表している。
【００３０】
図３（ａ）、（ｂ）に示すように、制御回路１４は、第１のパルス列（図３（ａ）参照）と第２のパルス列（図３（ｂ）参照）の双方において、パルス幅に加えて電流値をも１パルス毎にランダムに変化させている。ここで、電流値を決定する際には、例えば、光源装置２０に供給する電力を一定にするために必要な電流値を基準にして、この電流値に対して所定の変動範囲（例えば、±１０％）を設定するとともに、この変動範囲内から、図示しない乱数生成部で生成された乱数に基づいて電流値を定めるようにすればよい。そして、制御回路１４は、インバーター１２による電流パルスの生成に同期させて、決定した電流値に応じた出力電流をダウンチョッパー１１から出力させる。そして、図３（ｃ）に示すように、制御回路１４は、生成される２つのパルス列のうち、第２のパルス列について電流パルスの極性を反転させる。
【００３１】
制御回路１４は、第１のパルス列の最初の電流パルスを光源装置２０の一方の電極へ供給させた後、極性反転後の第２のパルス列の最初の電流パルスを他方の電極へ供給させる。そして、後続する電流パルスについても同様に、第１のパルス列の電流パルスと、極性反転後の第２のパルス列の電流パルスとを交互に供給させる。この結果、第１のパルス列と、極性反転後の第２のパルス列とは合成され、図３（ｄ）に示すように、光源装置２０は、電流の方向が交互に変化し、且つパルス幅と電流値が１パルス毎に変化するパルス列によって駆動される。
【００３２】
以上説明したように、本実施形態の放電灯点灯装置１０によれば、第１実施形態と同様の効果を得ることができる。また、本実施形態では、パルス幅に加えて電流値も１パルス毎に変化させているため、フリッカーの抑制効果が一層向上する。
【００３３】
（第３実施形態）
以下、第３実施形態の放電灯点灯装置について、図面を参照して説明する。
本実施形態の放電灯点灯装置１０は、矩形波に鋸歯状の波形を重畳させた台形波の電流パルスを光源装置２０に供給するようになっている。そして、この電流パルスを生成する際には、パルス幅と、台形波の傾き（時間に対する電流値の変化率）とを１パルス毎に変化させている。これ以外の構成については第１実施形態と同一である。
【００３４】
図４は、本実施形態における電流パルスの波形の変化（パルス幅及び台形波の傾きの変化）を説明するための説明図である。本図において、（ａ）及び（ｂ）は、制御回路１４で順次決定された複数の電流パルスで構成されるパルス列であり、（ｃ）は、（ｂ）のパルス列において、各電流パルスの極性を反転させたものである。また、（ｄ）は、（ａ）のパルス列と（ｃ）のパルス列とが合成された様子を示している。なお、各図において、横軸は時間ｔを表し、縦軸（図示せず）は電流値を表している。
【００３５】
図４（ａ）、（ｂ）に示すように、制御回路１４は、第１のパルス列（図４（ａ）参照）と第２のパルス列（図４（ｂ）参照）の双方において、パルス幅と、台形波の傾きとを１パルス毎にランダムに変化させている。ここで、台形波の傾きを決定する際には、例えば、傾きに関して所定の変動範囲を設定するとともに、この変動範囲内から、図示しない乱数生成部で生成された乱数に基づいて傾きを定めるようにすればよい。そして、制御回路１４は、決定した傾きで電流値が変化するように、インバーター１２による電流パルスの生成に同期させてダウンチョッパー１１からの出力電流を変化させる。そして、図４（ｃ）に示すように、制御回路１４は、生成される２つのパルス列のうち、第２のパルス列について電流パルスの極性を反転させる。
【００３６】
制御回路１４は、第１のパルス列の最初の電流パルスを光源装置２０の一方の電極へ供給させた後、極性反転後の第２のパルス列の最初の電流パルスを他方の電極へ供給させる。そして、後続する電流パルスについても同様に、第１のパルス列の電流パルスと、極性反転後の第２のパルス列の電流パルスとを交互に供給させる。この結果、第１のパルス列と、極性反転後の第２のパルス列とは合成され、図４（ｄ）に示すように、光源装置２０は、電流の方向が交互に変化し、且つパルス幅及び台形波の傾きが１パルス毎に変化するパルス列によって駆動される。
【００３７】
以上説明したように、本実施形態の放電灯点灯装置１０によれば、第１実施形態と同様の効果を得ることができる。また、本実施形態では、パルス幅に加えて台形波の傾きも１パルス毎に変化させているため、フリッカーの抑制効果が一層向上する。なお、パルス幅と、電流値と、台形波の傾きのすべてを１パルス毎に変化させるようにすれば、フリッカーの抑制効果がさらに向上する。また、本実施形態では、電流パルスの波形を台形波としているが、パルス幅期間内で時間とともに電流値が変化する態様の波形であれば、台形波に限定されない。例えば、上述した特許文献１に示されているように、第１の矩形波に対して、第１の矩形波よりもパルス幅が小さい第２の矩形波を重畳させた波形とすることもできる。この場合には、台形波の傾きを変化させる代わりに、第２の矩形波のパルス幅や電流値、位相等を１パルス毎に変化させればよい。
【００３８】
（第４実施形態）
図５は、上述した第１〜第３実施形態のいずれかの放電灯点灯装置を備えたプロジェクターの概略構成を示すブロック図である。
図５に示すように、プロジェクター１は、第１〜第３実施形態のいずれかの放電灯点灯装置１０と、光源装置２０と、インテグレーター光学系３０と、色光分離光学系４０と、リレー光学系５０と、画像形成部６０と、投写光学系としての投写レンズ７０とを備えている。画像形成部６０には、光変調装置としての液晶パネル６１が備えられており、プロジェクター１は、光源装置２０から射出された光を液晶パネル６１で変調して画像光を形成する。
【００３９】
光源装置２０は、上述したように、放電灯２１と反射鏡２２とを備えて構成されており、放電灯点灯装置１０の駆動によって点灯し、インテグレーター光学系３０へ向けて光束を射出する。なお、光源装置２０が寿命に達したり、故障したりした際に、新しい光源装置２０と交換ができるように、光源装置２０は、プロジェクター１に対して着脱が自在な構成になっている。
【００４０】
インテグレーター光学系３０は、第１のレンズアレイ３１と、第２のレンズアレイ３２と、偏光変換素子３３と、重畳レンズ３４とを備えて構成され、光源装置２０から射出された光束の輝度分布を一様する機能を有している。第１のレンズアレイ３１及び第２のレンズアレイ３２は、それぞれ微小なレンズ３１ａ，３２ａがマトリクス状に配置された構成になっており、光源装置２０から入射した光束は、第１のレンズアレイ３１によって多数の微小な部分光束に分割される。第２のレンズアレイ３２及び重畳レンズ３４は、分割された部分光束のそれぞれが、照明対象である液晶パネル６１の全体に照射するように備えられている。このため、各部分光束が液晶パネル６１で重畳され、液晶パネル６１の全体がほぼ均一に照明される。
【００４１】
偏光変換素子３３は、光源装置２０からの光を液晶パネル６１で効率よく利用可能とするため、特定の偏光方向を有する偏光光に揃える機能を有している。インテグレーター光学系３０を射出した偏光光は、色光分離光学系４０に入射する。
【００４２】
色光分離光学系４０は、第１のダイクロイックミラー４１と、第１の反射ミラー４２と、第２のダイクロイックミラー４３とを備えており、インテグレーター光学系３０から射出された光を、波長域の異なる３色の光に分離する。第１のダイクロイックミラー４１は、略赤色の光（赤色光Ｒ）を反射するとともに、赤色光Ｒよりも短波長の光を透過する。第１のダイクロイックミラー４１で反射した赤色光Ｒは、第１の反射ミラー４２でさらに反射し、平行化レンズ３５で平行化されて画像形成部６０の赤色光用の液晶パネル６１Ｒを照明する。
【００４３】
第２のダイクロイックミラー４３は、略青色の光（青色光Ｂ）を透過するとともに、透過する光よりも長波長の光を反射する。このため、第１のダイクロイックミラー４１を透過した光のうち、略緑色の光（緑色光Ｇ）は、第２のダイクロイックミラー４３によって反射し、平行化レンズ３５で平行化されて画像形成部６０の緑色光用の液晶パネル６１Ｇを照明する。また、青色光Ｂは、第２のダイクロイックミラー４３を透過してリレー光学系５０に入射する。そして、リレー光学系５０を経由した後、平行化レンズ３５で平行化されて画像形成部６０の青色光用の液晶パネル６１Ｂを照明する。
【００４４】
なお、青色光Ｂの経路は他の色光の経路に比べて長くなってしまうことから、青色光Ｂの経路には、光束の発散によって液晶パネル６１への照明効率が低下するのを抑制するために、リレー光学系５０が設けられている。リレー光学系５０は、入射側レンズ５１と、第２の反射ミラー５２と、リレーレンズ５３と、第３の反射ミラー５４とを備えており、リレー光学系５０に入射した青色光Ｂは、入射側レンズ５１によってリレーレンズ５３の近傍で収束し、平行化レンズ３５に向けて発散する。
【００４５】
画像形成部６０は、光変調装置としての３つの液晶パネル６１（赤色光用の液晶パネル６１Ｒ、緑色光用の液晶パネル６１Ｇ、青色光用の液晶パネル６１Ｂ）と、各液晶パネル６１の入射側及び射出側にそれぞれ配置された入射側偏光板６２及び射出側偏光板６３と、色合成光学系としてのクロスダイクロイックプリズム６４とを備えて構成されている。
【００４６】
液晶パネル６１は、一対の透明基板間に液晶が封入されたものであり、透明基板の内面には、液晶に対して微小領域（画素）毎に駆動電圧を印加可能な透明電極（画素電極）がマトリクス状に形成されている。入射側偏光板６２及び射出側偏光板６３は、それぞれ特定の偏光方向の偏光光のみを透過可能であり、入射側偏光板６２は、偏光変換素子３３によって揃えられた偏光方向の偏光光を透過可能になっている。このため、液晶パネル６１に向けて照射された各色光の大部分は入射側偏光板６２を透過して、液晶パネル６１に入射する。
【００４７】
ここで、図示しない液晶駆動回路によって、液晶パネル６１の各画素に、外部から入力された画像情報に基づく駆動電圧が印加されると、液晶パネル６１に入射した光は、駆動電圧に応じて変調され、画素毎に異なる偏光方向を有した偏光光となる。この偏光光のうち、射出側偏光板６３を透過可能な偏光成分のみが射出側偏光板６３から射出される。つまり、液晶パネル６１及び射出側偏光板６３が、画像情報に応じて画素毎に異なる透過率で入射光を透過させることによって、階調を有する画像光が色光毎に形成される。射出側偏光板６３から射出した各色光からなる画像光は、クロスダイクロイックプリズム６４に入射する。
【００４８】
クロスダイクロイックプリズム６４には、赤色光を反射する誘電体多層膜と、青色光を反射する誘電体多層膜とが、４つの直角プリズムの界面に沿って略Ｘ字状に設けられており、射出側偏光板６３から射出された各色の画像光は、これらの誘電体多層膜によって合成される。クロスダイクロイックプリズム６４で合成された画像光は、カラーの画像光として射出面６４ｘから射出され、投写レンズ７０に入射する。
【００４９】
投写レンズ７０は、クロスダイクロイックプリズム６４の射出面６４ｘ側に配置されており、画像形成部６０で形成された画像光を拡大して投写する。投写レンズ７０から射出された画像光は、外部のスクリーン等に投写される。
【００５０】
以上説明したように、本実施形態のプロジェクター１によれば、第１〜第３実施形態の放電灯点灯装置１０を備えているため、第１〜第３実施形態と同様の効果を得ることが可能となる。
【００５１】
なお、本実施形態では、光変調装置として３つの液晶パネル６１を用いた３板式のプロジェクター１について説明したが、これに限定されない。例えば、各画素の中にそれぞれＲ光、Ｇ光、Ｂ光を透過可能なサブ画素を含んだ１つの液晶パネル６１によって画像を形成する態様とすることも可能である。
【００５２】
また、本実施形態では、光変調装置として、透過型の液晶パネル６１を用いているが、反射型の液晶パネル等、反射型の光変調装置を用いることも可能である。また、入射した光の射出方向を、画素としてのマイクロミラー毎に制御することにより、光源から射出された光を変調する微小ミラーアレイデバイス等を用いることもできる。
【００５３】
（変形例）
なお、上記実施形態は、以下のように変更してもよい。
【００５４】
上記実施形態では、パルス幅等を１パルス毎にランダムに決定しているが、パルス幅等を決定するタイミングは、１パルス毎に限定されない。例えば、複数回に１回の割合でパルス幅をランダムに決定するとともに、後続する電流パルスに関しては、決定したパルス幅から所定量ずつずらしたパルス幅に決定するようにしてもよい。
【００５５】
上記実施形態において、パルス幅、電流値、台形波の傾きを、所定の変動範囲の中からランダムに決定する場合には、これらの変動範囲は、上記実施形態で例示した範囲（±１０％）に限定されず、それより小さくしても大きくしてもよい。また、これらの変動範囲をランプ電圧の経時変化に応じて変更できるようにしてもよい。
【００５６】
上記実施形態では、第１のパルス列と第２のパルス列の双方のパルス列に関して、パルス幅等を１パルス毎に変化させているが、いずれか一方のパルス列に関してのみ、パルス幅等を１パルス毎に変化させ、他方のパルス列に関しては、パルス幅等を固定するようにしてもよい。
【符号の説明】
【００５７】
１…プロジェクター、１０…放電灯点灯装置、１１…ダウンチョッパー、１２…インバーター、１３…イグナイター、１４…制御回路、２０…光源装置、２１…放電灯、２２…反射鏡、３０…インテグレーター光学系、３１…第１のレンズアレイ、３２…第２のレンズアレイ、３３…偏光変換素子、３４…重畳レンズ、３５…平行化レンズ、４０…色光分離光学系、４１…第１のダイクロイックミラー、４２…第１の反射ミラー、４３…第２のダイクロイックミラー、５０…リレー光学系、５１…入射側レンズ、５２…第２の反射ミラー、５３…リレーレンズ、５４…第３の反射ミラー、６０…画像形成部、６１，６１Ｒ，６１Ｇ，６１Ｂ…液晶パネル、６２…入射側偏光板、６３…射出側偏光板、６４…クロスダイクロイックプリズム、７０…投写レンズ。
【図１】
0005585045.tif 000002
【図２】
0005585045.tif 000003
【図３】
0005585045.tif 000004
【図４】
0005585045.tif 000005
【図５】
0005585045.tif 000006